(57)【要約】【課題】  見映えのよいスライドショー表示を行うことができる画像表示装置を提供する。【解決手段】  画像を表示する表示部８と、前記画像の撮影位置及び撮影方向の少なくとも一方に基づいて切替効果を決定する切替効果決定部４と、前記決定部により決定された前記切替効果を用いて前記表示部に前記画像を表示する表示制御部６とを備える。【選択図】  図１
2013143717.tif 000002
【特許請求の範囲】
【請求項１】
画像を表示する表示部と、
前記画像の撮影位置及び撮影方向の少なくとも一方に基づいて切替効果を決定する切替効果決定部と、
前記切替効果決定部により決定された前記切替効果を用いて前記表示部に前記画像を表示する表示制御部と
を備えることを特徴とする画像表示装置。
【請求項２】
前記切替効果決定部は、前記表示部に表示されている表示中画像と次に前記表示部に表示される次画像との前記撮影位置及び前記撮影方向の少なくとも一方の相対的な位置関係に基づいて前記表示部を含む仮想座標系における前記次画像の表示開始位置を決定することを特徴とする請求項１記載の画像表示装置。
【請求項３】
前記切替効果決定部は、前記表示部に表示されている表示中画像と次に前記表示部に表示される次画像との前記撮影位置及び前記撮影方向の少なくとも一方の相対的な位置関係に基づいて前記表示部を含む仮想座標系における前記次画像の表示開始位置からの移動速度を決定することを特徴とする請求項１または２記載の画像表示装置。
【請求項４】
前記切替効果決定部は、前記表示部に表示されている表示中画像と次に前記表示部に表示される次画像との前記撮影方向の相対的な角度関係に基づいて前記表示部を含む仮想座標系における前記次画像の移動開始時の形状を決定することを特徴とする請求項１〜３の何れか一項に記載の画像表示装置。
【請求項５】
前記画像の表示順序を前記画像の前記撮影位置、撮影方向及び撮影日時のうちの少なくとも１つに基づいて決定する表示順序決定部を備えることを特徴とする請求項１〜４の何れか一項に記載の画像表示装置。
【請求項６】
前記画像の表示順序を任意に決定可能な選択部を備えることを特徴とする請求項１〜５の何れか一項に記載の画像表示装置。
【請求項７】
前記画像の画像データの格納場所は自装置に設けられたメモリ、接続部を介して接続される記録媒体及び外部機器、通信部を介して接続される外部装置のうちの少なくとも１つであり、
前記画像データに関連付けられた撮影位置を示す位置情報または撮影方向を示す方角情報の格納場所は前記メモリ、前記記録媒体、前記外部機器、前記外部装置のうちの少なくとも１つであることを特徴とする請求項１〜６の何れか一項に記載の画像表示装置。
【請求項８】
前記切替効果は、スライドイン、スライドアウト、フェードイン、フェードアウト、ズームイン、ズームアウト、ワイプイン、ワイプアウトのうちの少なくとも１つを含むことを特徴とする請求項１〜７の何れか一項に記載の画像表示装置。
【発明の詳細な説明】
【技術分野】
【０００１】
本発明は、画像表示装置に関するものである。
【背景技術】
【０００２】
画像のスライドショー表示を行う際に、鑑賞者が飽きないように画像の雰囲気を変更する画像表示装置が知られている（例えば、特許文献１参照）。この画像表示装置においては、画像を撮影した時点の明るさや天候等の環境情報に応じて表示する画像の明るさを変更したり、天候を示す画像の重畳表示を行っている。
【先行技術文献】
【特許文献】
【０００３】
【特許文献１】特開２０１０−２６３３４１号公報
【発明の概要】
【発明が解決しようとする課題】
【０００４】
しかし、この画像表示装置においては表示する画像そのものに対して行う画像処理のみを考慮しており、画像の切替を行う際の切替効果については考慮していなかった。
【０００５】
本発明の目的は、見映えのよいスライドショー表示を行うことができる画像表示装置を提供することである。
【課題を解決するための手段】
【０００６】
本発明の画像表示装置は、画像を表示する表示部と、前記画像の撮影位置及び撮影方向の少なくとも一方に基づいて切替効果を決定する切替効果決定部と、前記決定部により決定された前記切替効果を用いて前記表示部に前記画像を表示する表示制御部とを備えることを特徴とする。
【発明の効果】
【０００７】
本発明に係る画像表示装置によれば、見映えのよいスライドショー表示を行うことができる。
【図面の簡単な説明】
【０００８】
【図１】本発明の第１の実施の形態に係るＤＰＦのシステム構成を示すブロック図である。
【図２】本発明の第１の実施の形態に係るＤＰＦの表示中画像の撮影位置に対する次画像の撮影位置を示す図である。
【図３】本発明の第１の実施の形態に係るＤＰＦのディスプレイにおける次画像の表示開始位置を示す図である。
【図４】本発明の第１の実施の形態に係るＤＰＦの表示中画像の撮影位置に対する次画像の撮影位置を示す図である。
【図５】本発明の第１の実施の形態に係るＤＰＦのディスプレイにおける次画像の表示開始位置を示す図である。
【図６】本発明の第２の実施の形態に係るＤＰＦの表示中画像の撮影方向を基準とした次画像の撮影方向を示す図である。
【図７】本発明の第２の実施の形態に係るＤＰＦのディスプレイにおける次画像の表示開始位置を示す図である。
【発明を実施するための形態】
【０００９】
以下、図面を参照して第１の実施の形態に係る画像表示装置についてデジタルフォトフレーム（以下、ＤＰＦという。）を例に説明する。図１は第１の実施の形態に係るＤＰＦのシステム構成を示すブロック図である。ＤＰＦ３はＣＰＵ４を備え、ＣＰＵ４には、表示制御部６、再生制御部１０、ＵＳＢコントローラ１４、カードコントローラ２０、ネットワークドライバ２６、画像データ等を格納する内部メモリ３２、Ｉ／Ｆドライバ３４、電源制御部３８が接続されている。
【００１０】
表示制御部６は、ＬＣＤ等により構成され画像データに基づく画像やメニュー画面等を表示するディスプレイ８の表示制御を行う。再生制御部１０は、スピーカ１２から出力される音声の再生制御を行う。ＵＳＢコントローラ１４は、ＵＳＢコネクタ１６に接続されたＰＣ、デジタルカメラ等のＵＳＢ機器１８の制御を行う。カードコントローラ２０は、カードスロット２２に接続された画像データ等を格納するメモリカード２４の制御を行う。ネットワークドライバ２６は、ＬＡＮＩ／Ｆ２８を介して外部のサーバ３０との間で画像データ等の送受信を行う際の通信制御を行う。ここで、ＬＡＮＩ／Ｆ２８を介したサーバ３０との間の通信は有線であっても無線であってもよい。Ｉ／Ｆドライバ３４は、再生モードの選択や表示する画像の選択を行う操作スイッチ３６を用いて行われた操作を受け付け、ＣＰＵ４に対して出力する。
【００１１】
電源制御部３８は、ＡＣアダプタ４０を介して外部の商用電源に接続されている場合には外部の商用電源から電源を取得しＣＰＵ４に電源を供給する。ＡＣアダプタ４０を介して外部の商用電源に接続されていない場合にはバッテリ４２を介して電源を取得しＣＰＵ４に電源を供給する。なお、ＡＣアダプタ４０が接続されている場合にはＣＰＵ４に電源を供給する他、バッテリ４２の充電を行ってもよい。
【００１２】
次に図面を参照して第１の実施の形態に係るＤＰＦの表示画像を切り替える際の切替効果（トランジション効果）について説明する。なお、本実施の形態に係る画像データに基づく画像は、例えばＧＰＳを備えたカメラにより撮影された画像であり、撮影位置を示す位置情報が画像データに関連付けて格納されている。ここで、画像データと位置情報とは同じ記録媒体に格納されていてもよいし、異なる記録媒体に格納されていてもよい。即ち、画像データ及び位置情報はそれぞれＵＳＢ機器１８、メモリカード２４、サーバ３０、内部メモリ３２のいずれかに格納されていればよい。
【００１３】
まず、操作スイッチ３６を用いて再生モードとしてスライドショーモードが選択されると、ＣＰＵ４はスライドショーを開始する。なお、ＤＰＦ３においては、再生モードとしてスライドショーモードの他、複数の画像のサムネイルをディスプレイ８に表示するサムネイルモード、任意の１枚の画像をディスプレイ８に表示する１枚表示モード等を選択することができる。また、ＣＰＵ４は、ディスプレイ８に現在表示されている１枚の画像、サムネイル表示された複数の画像から選択された１枚の画像、ユーザにより選択された画像等からスライドショーを開始する。
【００１４】
スライドショーを開始すると、ＣＰＵ４は現在表示されている画像（表示中画像）の位置情報及び次に表示する画像（次画像）の位置情報を読み出し、表示中画像の撮影位置を中心とした次画像の相対的な撮影位置を求める。次に、ＣＰＵ４は求めた撮影位置に基づいて次画像の表示開始位置を決定し、表示中画像の表示開始から所定時間が経過すると表示制御部６を制御して、次画像を表示開始位置に表示させ、ディスプレイ８の中央にスライドインさせる。
【００１５】
ここで、ＣＰＵ４は表示中画像の撮影位置に対する次画像の相対的な撮影位置が西（Ｗ）である場合には表示開始位置をディスプレイ８の左側、東（Ｅ）である場合には表示開始位置をディスプレイ８の右側、北（Ｎ）である場合には表示開始位置をディスプレイ８の上側、南（Ｓ）である場合にはディスプレイ８の下側に決定する。この場合には、図２に示すように表示中画像「１」の撮影位置に対して、次画像「２」の撮影位置が西であるため、ＣＰＵ４は次画像「２」の表示開始位置をディスプレイ８の左側に決定する。次に、図３に示すようにＣＰＵ４は表示制御部６を制御して、次画像「２」を表示開始位置として決定されたディスプレイ８の左側に表示させ、図３の矢印で示すように表示開始位置からディスプレイ８の中央へスライドインさせる。
【００１６】
なお、表示開始位置は、ディスプレイ８の表示領域の周縁に仮想平面４６を設定し、仮想平面４６を含んだ領域４８において決定される。即ち、ＣＰＵ４は、次画像「２」の全てがディスプレイ８の表示領域に表示されず、一部のみが表示されている位置を表示開始位置として設定することができる。
【００１７】
さらに、ＣＰＵ４は表示制御部６を制御して、表示開始位置に応じて次画像に対して奥行き感を持たせるスケーリング処理を行ってもよい。例えば、表示中画像の撮影位置に対する次画像の相対的な撮影位置が北である場合にはより遠方、南である場合にはより手前側に感じられるように視覚的効果を施してもよい。
【００１８】
例えば、図４に示すように表示中画像「１」の撮影位置に対して、次画像「２」の撮影位置が北である場合には、ＣＰＵ４は次画像「２」の表示開始位置をディスプレイ８の上側に決定する。次に、図５に示すようにＣＰＵ４は表示制御部６を制御して、次画像「２」を表示開始位置として決定されたディスプレイ８の上側に表示させ、図５の矢印で示すように表示開始位置からディスプレイ８の中央へスライドインさせる。このとき、表示開始位置においては次画像「２」を縮小して表示させ、ディスプレイ８の中央へスライドインさせるに従って次画像の表示サイズを拡大させる。即ち、次画像「２」のディスプレイ８の中央へのスライドインが終了すると、ＣＰＵ４は図５に示す表示中画像「１」と略同じ表示サイズで次画像「２」を表示させる。
【００１９】
さらにＣＰＵ４は表示制御部６を制御して、表示中画像の撮影位置と次画像の撮影位置との距離が離れているほど次画像のスライドインの速度を速くさせる等、表示中画像の撮影位置と次画像の撮影位置との距離に応じてスライドインの速度を変更させてもよい。
【００２０】
スライドショーにおける画像の表示順序は、画像の撮影位置、撮影日時を用いてスライドショーを行う画像群をソートすることにより決定する。例えば、撮影日時が古いものから新しいものへ撮影日時順に表示する方法、撮影日時が新しいものから古いものへと逆順に表示する方法、画像の撮影位置に基づいて近いものから遠いものへ撮影位置情報順に表示する方法等が挙げられる。
【００２１】
また、（１）撮影位置が表示中画像の撮影位置から１００ｍ以内等のある範囲内に限定され、かつ、撮影間隔が短い画像群は、表示中画像の撮影位置に基づいて近いものから遠いものへ撮影位置情報順に表示し、（２）撮影位置が表示中画像の撮影位置から１００ｍ以上等空間的に離散し、かつ、撮影間隔があいている写真群は撮影日時順に表示する等、上述の表示順序を組み合わせてスライドショーを行ってもよい。（１）の順序でスライドショーを行う場合には、狭いエリアで連続的に撮った画像を空間的な距離の順に鑑賞することができ、撮影時の状況、環境、被写体を把握しやすい等の観点から好ましい。
【００２２】
なお、関連付けられた位置情報を有さない画像データに基づく画像については、撮影日時に基づいて表示順序を決定する。また、上述の組み合わせに基づく表示順序でスライドショーを行うか、撮影日時順にスライドショーを行うか等の選択をユーザは任意に行うことができる。
【００２３】
また、次画像の画像データに関連付けられた撮影位置を示す位置情報が存在しない場合には、表示中画像と同一の撮影位置で撮影されたものとしてスライドショーを行ってもよいし、予め設定されたオフセット位置を撮影位置としてもよい。前者の場合には、表示開始位置がディスプレイ８の中央となる。一方、後者の場合には、例えば表示中画像の撮影位置の北側１００ｍ等を次画像のオフセット位置として、ＣＰＵ４は表示制御部６を制御してディスプレイ８の上側を次画像の表示開始位置とし、距離に応じたスライドイン速度で次画像をスライドインさせる。
【００２４】
この第１の実施の形態に係るＤＰＦによれば、画像の撮影位置に応じた画像の切替効果を用いることにより見映えのよいスライドショー表示を行うことができる。また、スケーリング処理を行う場合には奥行き感を出すことができ、さらに撮影位置が把握しやすくなる。また、距離に応じたスライドイン処理を行う場合には、表示中画像の撮影位置から次画像の撮影位置までの移動距離を把握しやすくなる。
【００２５】
なお、上述の第１の実施の形態において、表示中画像の撮影位置に対する次画像の撮影位置が北側、東側、南側、西側の場合に表示開始位置をそれぞれ上、右、下、左とする構成としたが、撮影位置と表示開始位置の関係は限定されるものではない。例えば、表示中画像の撮影位置に対する次画像の撮影位置が南側、西側、北側、東側の場合に表示開始位置をそれぞれ上、右、下、左とする構成としてもよい。
【００２６】
また、上述の第１の実施の形態において、表示中画像の撮影位置と次画像の撮影位置との距離に応じてスライドインの速度を変更させる構成としたが、ＣＰＵ４は再生制御部１０を制御して、スライドインの速度に応じた効果音をスピーカ１２から出力させてもよい。このとき、距離が離れているほどスライドインの速度が速くなるため効果音としてテンポの速いもの等速さがイメージできる効果音を出力させ、距離が短い場合にはスライドインの速度が遅くなるため効果音としてテンポがゆっくりなもの等ゆっくりであることがイメージできる効果音を出力させる。
【００２７】
また、上述の第１の実施の形態において、表示中画像の撮影位置と次画像の撮影位置との距離に応じてスライドインの速度を変更させる構成としたが、距離に応じてスライドインにおける表示開始位置を変更させる構成としてもよい。例えば、ＤＰＦ２が７．２型（解像度８００ピクセル×６００ピクセル）のディスプレイ８を有する場合に、距離が近距離（〜５０ｍ）である場合にはディスプレイ８の中央から５０ピクセル離れた位置を表示開始位置とし、距離が中距離（５０ｍ〜１００ｍ）である場合にはディスプレイ８の中央から２００ピクセル離れた位置を表示開始位置とし、距離が遠距離（１００ｍ〜）である場合にはディスプレイ８の中央から４００ピクセル離れた位置を表示開始位置とする。即ち、この場合には、スライドイン処理の移動距離が近距離の場合には５０ピクセル、中距離の場合には２００ピクセル、遠距離の場合には４００ピクセルとなり、撮影位置を把握するための十分な視覚効果が得られる。
【００２８】
また、上述の第１の実施の形態において、スライドショーを行う際に表示中画像の撮影位置と次画像の撮影位置の距離が離れている場合には、ＣＰＵ４は表示制御部６を制御して、ディスプレイ８に地図を重畳表示させてもよい。例えば、表示中画像の撮影位置が東京であり、次画像の撮影位置がフランスである場合には、表示中画像の位置（ディスプレイ８の中央）が日本、次画像の表示開始位置がフランスとなるように地図を重畳表示させる。また、スライドイン処理の際に、ＣＰＵ４は表示制御部６を制御して、次画像をディスプレイ８の中央に移動させると共に、重畳表示された地図のフランスの位置もディスプレイ８の中央となるように移動させてもよい。
【００２９】
また、上述の第１の実施の形態において、スライドショー開始の際の画像として、ディスプレイ８に現在表示されている１枚の画像、サムネイル表示された複数の画像から選択された１枚の画像、ユーザにより選択された画像を例に説明したが、ＤＰＦ３がＧＰＳを備える場合には、現在位置から最も近い撮影位置で撮影された画像からスライドショーを開始する構成としてもよい。また、前回のスライドショー終了時に表示していた画像からスライドショーを開始する構成としてもよい。
【００３０】
次に、本発明の第２の実施の形態に係るＤＰＦについて説明する。この第２の実施の形態に係るＤＰＦ３は、第１の実施の形態に係るＤＰＦ３と同一の構成を有しているため、その説明を省略し、同一の構成に同一の符号を用いて説明を行う。
【００３１】
なお、この第２の実施の形態に係る画像は、例えば地磁気センサや電子コンパス等の方位センサを備えたカメラにより撮影された画像であり、撮影方向を示す方角情報が画像データに関連付けて格納されている。ここで、画像データと方角情報とは同じ記録媒体に格納されていてもよいし、異なる記録媒体に格納されていてもよい。即ち、画像データ及び方角情報はそれぞれＵＳＢ機器１８、メモリカード２４、サーバ３０、内部メモリ３２のいずれかに格納されていればよい。また、方角情報に加えて、第１の実施の形態と同様にさらに位置情報が画像データに関連付けて格納されていてもよい。
【００３２】
第１の実施の形態と同様にスライドショーを開始すると、ＣＰＵ４は表示中画像の撮影方向を示す方角情報及び次画像の撮影方向を示す方角情報を読み出し、表示中画像の撮影方向を基準とした次画像の相対的な撮影方向を求める。即ち、図６に示すように表示中画像「１」の撮影方向を０°とした場合の次画像の撮影方向の角度を求める。
【００３３】
次に、ＣＰＵ４は求めた撮影方向の角度に基づいて次画像の初期形状を決定する。即ち、表示中画像に対する次画像の相対的な撮影方向を、スライドインされる次画像の初期形状に反映させる。例えば、表示中画像に対して次画像の撮影方向が４５°である場合には、表示中画像の表示開始から所定時間経過するとＣＰＵ４は表示制御部６を制御して、次画像を表示中画像に対して４５°傾かせた初期形状で表示させる。このとき、図６の画像「２」に示すように次画像の左端が奥側、右端が手前側となるように表示させる。
【００３４】
また、このとき、ＣＰＵ４は、初期形状に対応した表示開始位置を決定する。例えば、図６の画像「２」に示すように次画像の撮影方向が４５°である場合には、ディスプレイ８の右上を表示開始位置とする。
【００３５】
次に、ＣＰＵ４は表示制御部６を制御して、初期形状で表示させた次画像をスライドインさせる。ここで、ＣＰＵ４は、最終的にディスプレイ８の表示領域の中央まで移動したところで正立した形状となるようにアニメーション効果等により次画像の形状を変化させる。
【００３６】
ここで、９０°〜２７０°の範囲（図６に示す１３５°（画像「５０」）、１８０°（画像「５２」）、２２５°（画像「５４」）等）においては、次画像が表示中画像「１」に対して裏返しの状態で表示される。このとき、ＣＰＵ４は表示制御部６を制御して、裏返し状態で表示される次画像を裏面から画像が透過して確認できるように表示させてよいし、非透過として単色の裏面として表示させてもよい。例えば、表示中画像「１」に対して次画像「５２」の撮影方向が１８０°（反対向き）であれば、次画像「５２」は表示中画像「１」に対して裏返しの状態でスライドイン処理を行い、最終的に画面中央まで移動したところで１８０°反転して正立した形状となるようにアニメーション効果等により次画像「５２」の形状を変化させる。
【００３７】
ここで、第２の実施の形態においては、次画像の表示開始位置を第１の実施の形態と同様に決定してもよい。即ち、表示中画像の撮影位置及び次画像の撮影位置に基づいて表示開始位置を決定する。
【００３８】
例えば、図７に示すように表示中画像「１」の撮影位置に対して、次画像「２」の撮影位置が東であり、かつ、表示中画像に対する次画像の撮影方向が４５°である場合には、ＣＰＵ４は表示制御部６を制御して、次画像「２」の表示開始位置をディスプレイ８の右側に次画像を４５°傾かせた初期形状で表示させる。次に、図７の矢印で示すように、ＣＰＵ４は表示制御部６を制御して、次画像「２」を表示開始位置からディスプレイ８の中央へスライドインさせる。
【００３９】
なお、表示開始位置は、ディスプレイ８の表示領域の周縁に仮想平面４６を設定し、仮想平面４６を含んだ領域４８において決定される。即ち、ＣＰＵ４は、次画像「２」の全てがディスプレイ８の表示領域に表示されず、一部のみが表示されている位置を表示開始位置として設定することができる。
【００４０】
また、第１の実施の形態と同様にＣＰＵ４は表示制御部６を制御してスケーリング処理を行わせてもよいし、表示中画像の撮影位置と次画像の撮影位置との距離に応じてスライドイン速度を変更させてもよい。
【００４１】
スライドショーにおける画像の表示順序は、画像の撮影位置、撮影方向及び撮影日時を用いてスライドショーを行う画像群をソートすることにより決定する。例えば、上述のように撮影日時順に表示する方法、撮影日時の逆順で表示する方法、撮影位置情報順に表示する方法の他、画像の撮影方向に基づいて角度が近いものから離れているものの順に表示する方法等が挙げられる。
【００４２】
また、（１）撮影位置がほぼ同じ（ＧＰＳによる測定精度以下）であり、かつ、撮影間隔が短い写真群は撮影方向順に表示し、（２）撮影位置が表示中画像の撮影位置から１００ｍ以内等のある範囲内に限定され、かつ、撮影間隔が短い画像群は、表示中画像の撮影位置に基づいて近いものから遠いものへ撮影位置情報順に表示し、（３）撮影位置が１００ｍ以上等空間的に離散し、かつ、撮影間隔があいている写真群は撮影日時順に表示する等、上述の表示順序を組み合わせてスライドショーを行ってもよい。（１）及び（２）の順序でスライドショーを行う場合には、狭いエリアで連続的に撮った画像を空間的な距離及び方向の順に鑑賞することができ、撮影時の状況、環境、被写体を把握しやすい等の観点から好ましい。なお、関連付けられた位置情報及び方角情報を有さない画像データに基づく画像については、撮影日時に基づいて表示順序を決定する。また、上述の組み合わせに基づく表示順序でスライドショーを行うか、撮影日時順にスライドショーを行うか等の選択をユーザは任意に行うことができる。
【００４３】
この第２の実施の形態に係るＤＰＦによれば、画像の撮影方向に応じた画像の切替効果を用いることにより見映えのよいスライドショー表示を行うことができる。また、画像の撮影位置に応じた画像の切替効果を用いることによりさらに見映えのよいスライドショー表示を行うことができる。
【００４４】
また、画像の撮影方向に応じた切替効果を用いるため、同一の撮影位置において撮影された画像のスライドショーを行う場合でも見映えのよいスライドショーとすることができる。
【００４５】
なお、上述の各実施の形態においては、撮影位置や撮影方向に応じた画像の切替効果を用いる構成としたが、さらに画像が撮影された標高である撮影高度に応じた画像の切替効果を用いる構成としてもよい。この場合には、仮想的な３次元空間を設定し、表示中画像の撮影高度よりも次画像の撮影高度の方が高いときにはディスプレイ８の上側を次画像の表示開始位置とし、表示中画像の撮影高度よりも次画像の撮影高度の方が低いときにはディスプレイ８の下側を次画像の表示開始位置とする。また、表示中画像の撮影高度と次画像の撮影高度が同じである場合には、ディスプレイ８の上下方向に垂直な仮想平面において、表示中画像の撮影位置に対する次画像の撮影位置が北側、東側、南側、西側の場合の表示開始位置をそれぞれ設定する。
【００４６】
また、上述の各実施の形態において、切替効果として、次画像の表示開始位置や初期形状を決定し、決定された表示開始位置や初期形状に応じて次画像を表示させた後にスライドインさせる構成を例に説明したが、用いるトランジション効果としてはスライドインに限られない。トランジション効果としては、スライドアウトやフェードイン・フェードアウト、ズームイン・ズームアウト、ワイプイン・ワイプアウト等を挙げることができ、さらにこれらの複数のトランジション効果を組み合わせて用いてもよい。
【００４７】
また、上述の各実施の形態においては画像表示装置としてＤＰＦを例に説明したが、デジタルカメラやパソコン等表示部を備える電子機器であれば適用可能である。
【符号の説明】
【００４８】
３…ＤＰＦ、４…ＣＰＵ、６…表示制御部、８…ディスプレイ
【図１】
2013143717.tif 000003
【図２】
2013143717.tif 000004
【図３】
2013143717.tif 000005
【図４】
2013143717.tif 000006
【図５】
2013143717.tif 000007
【図６】
2013143717.tif 000008
【図７】
2013143717.tif 000009